(57)【要約】【課題】ケーブル素線を傷付けることなく構造物の耐荷力・耐久力を維持することができ、また着脱が容易であって装着後は所定位置に確実に保持され、外観上も優れたケーブルクリップを提供する。【解決手段】メインケーブル２と分岐ケーブルとを連結するためのケーブルクリップ１であって、メインケーブル２の外周に被着される円筒形のウェッジ３と、ウェッジ３の外周に被着されて分岐ケーブルが取り付けられる円筒形のバンド４とを備え、ウェッジ３の外周及びバンド４の内周は互いに楔係合するテーパ面に形成されている。【選択図】  図１
2004293611.tif 000002
【特許請求の範囲】
【請求項１】
メインケーブルと分岐ケーブルとを連結するためのケーブルクリップであって、
前記メインケーブルの外周に被着される円筒形のウェッジと、このウェッジの外周に被着されて前記分岐ケーブルが取り付けられる円筒形のバンドとを備え、
前記ウェッジの外周及び前記バンドの内周は互いに楔係合するテーパ面に形成されていることを特徴とするケーブルクリップ。
【請求項２】
前記ウェッジは軸方向に複数に分割された分割ウェッジからなることを特徴とする請求項１記載のケーブルクリップ。
【請求項３】
前記分割ウェッジの内周はメインケーブルの外形形状と合致する面形状に形成されていることを特徴とする請求項２記載のケーブルクリップ。
【請求項４】
前記バンドは軸方向に２つに分割された分割バンドからなり、各分割バンドの軸方向に沿う両端縁部にはスライド自在に互いに係合する係合部が設けられていることを特徴とする請求項１，２又は３記載のケーブルクリップ。
【発明の詳細な説明】
【０００１】
【発明の属する技術分野】
この発明は、ケーブルクリップに関し、さらに詳細には、例えば中小の人道吊り橋、ケーブル構造の建築物などにおいて、メインケーブルと分岐ケーブルとを連結するためのケーブルクリップに関する。
【０００２】
【従来の技術】
例えば、吊り橋において、主塔間に架け渡されたメインケーブルに多数のハンガーロープ（分岐ケーブル）が連結され、これらのハンガーロープに桁が支持されている。このメインケーブルとハンガーロープとを連結するのにケーブルクリップが用いられている。
【０００３】
従来、この種のケーブルクリップ（クランプ装置とも称される）として、ハンガーロープが取り付けられた２枚の鋼板あるいは鋳鋼板からなる締め付けピースでメインケーブルを挟み付ける方式が知られている（例えば、特許文献１参照）。これらはいずれもケーブルを挟む２つのピースをボルトによって締め付け引き寄せて、ピースとケーブルとの間の摩擦力を高めることにより、これら部材どうしの固定を図ろうというものである。しかしながら、これらの方式では、２つのピースをケーブルとの間の「滑り力」の数倍の力で締め付ける必要があり、このため次のような問題点が生じている。
【０００４】
（１）  締め付けピースとケーブルに生ずるクリープ、リラクセーション、載荷重によるケーブルの細りなどをあらかじめ考慮したボルト締め付け力の維持管理が欠かせない。
（２）  バンドのボルト締結部がケーブルから突出していて景観を損なう場合がある。
【０００５】
【特許文献１】
特開２００２−３７１５１５号公報
【０００６】
【発明が解決しようとする課題】
この発明は上記のような技術的背景に基づいてなされたものであって、次の目的を達成するものである。
この発明の目的は、ケーブル素線を傷付けることなく構造物の耐荷力・耐久力を維持することができ、また着脱が容易であって装着後は所定位置に確実に保持され、外観上も優れたケーブルクリップを提供することにある。
【０００７】
【課題を解決するための手段】
この発明は上記課題を達成するために、次のような手段を採用している。
すなわち、この発明は、メインケーブルと分岐ケーブルとを連結するためのケーブルクリップであって、
前記メインケーブルの外周に被着される円筒形のウェッジと、このウェッジの外周に被着されて前記分岐ケーブルが取り付けられる円筒形のバンドとを備え、
前記ウェッジの外周及び前記バンドの内周は互いに楔係合するテーパ面に形成されていることを特徴とするケーブルクリップにある。
【０００８】
より具体的には、前記ウェッジは軸方向に複数に分割された分割ウェッジからなっている。また、前記分割ウェッジの内周はメインケーブルの外形形状と合致する面形状に形成されている。前記バンドは軸方向に２つに分割された分割バンドからなり、各分割バンドの軸方向に沿う両端縁部にはスライド自在に互いに係合する係合部が設けられている。
【０００９】
【発明の実施の形態】
この発明の実施の形態を図面を参照しながら以下に説明する。図１は、この発明によるケーブルクリップの全体を示す正面図、図２は図１のＡ−Ａ線断面図である。ケーブルクリップ１は、メインケーブル２の外周に被着される円筒形のウェッジ３と、ウェッジ３の外周に被着される円筒形のバンド４とを備えている。
【００１０】
図３はウェッジ３の軸方向に沿う半断面図であり、図４は図３の右側面図である。ウェッジ３は円筒形を軸方向に等角度間隔で分割した複数の分割ウェッジ３ａからなっている（この実施形態では１２０度の角度間隔で３つに分割）。各分割ウェッジ３ａの内周はメインケーブル２の外形形状と合致する面形状に形成されている。すなわち、各分割ウェッジ３ａの内周にはメインケーブル２を構成する撚り線が嵌り込むことができるスパイラル形状の溝５が形成されている。各分割ウェッジ３ａの外周はテーパ面６に形成されている。各分割ウェッジ３ａの一方の端部には、これら分割ウェッジ３ａを円筒形にしたとき環状をなす溝１５が形成されている。この環状溝１５は、ウェッジ３をメインケーブルに被着する際に、ウェッジ３を円筒形に保持すべく番線などの拘束線１６を巻き付けるためのものである（図１参照）。
【００１１】
バンド４も円筒形を軸方向に上下２つに分割した分割バンド４ａ，４ｂからなっている。図５は上側分割バンド４ａの平面図、図６は図５の左側面図、図７は図５のＢ−Ｂ線断面図である。上側分割バンド４ａは内周がテーパ面７に形成されている。このテーパ面７はウェッジ３のテーパ面６と勾配が一致している。また上側分割バンド４ａは軸方向に沿う両端縁部が半径方向外方に向けて膨れ出し、膨大部８をなしている。この膨大部８の内周には係合溝９が形成されている。
【００１２】
図８は下側分割バンド４ｂの平面図、図９は図８の左側面図、図１０は図９のＣ−Ｃ線断面図である。下側分割バンド４ｂも内周が上側分割バンド４ａと同じテーパ面７に形成されている。また下側分割バンド４ｂの軸方向に沿う両端縁部には半径方向外方に突出する係合突条１１が形成されている。この係合突条１１は上側分割バンド４ａの係合溝９と嵌合することが可能である。下側分割バンド４ｂの外周には、分岐ケーブルを取り付けるための穴１２を有する取付け部１３が一体に設けられている。
【００１３】
次に、上記ケーブルクリップの取付け方法について説明する。図１１は取付け手順を示している。まず（ａ）に示すように、メインケーブル２の所定位置において、ケーブル２の外面形状がウェッジ３の溝５に嵌るように、ウェッジ３をケーブル２に被着する。そして、各分割ウェッジ３ａが一体となって円筒形を保持するように拘束線１６を巻き付ける。
【００１４】
次いで、（ｂ）に示すように、ウェッジ３の小径部側の前方において、メインケーブル２を取り囲むようにバンド４を円筒形に組み立てる。その際、下側分割バンド４ｂに対して上側分割バンド４ａを軸方向にスライドさせることにより、下側分割バンド４ｂの突条１１を上側分割バンド４ａの係合溝９に係合させ、両分割バンド４ａ，４ｂを一体化させる。
【００１５】
次いで、（ｃ）に示すように、円筒形に組み立てられたバンド４を後方にずらし、ウェッジ３を抱き込む形でその外周に被着する。なお、図１２に示すように、バンド４の取付け部１３には分岐ケーブル１４が取り付けられる。吊り橋の場合、この分岐ケーブル１４はハンガーロープと称され、その下端部に桁が連結支持される。
【００１６】
上記ケーブルクリップの作用は次の通りである。
（１）  ウェッジの機能
ウェッジ３の内周にはメインケーブル２の外形形状と完全に一致する溝５を設けているので、組み立てられたウェッジが取り付け施工後においてケーブルの外周上を回転することはなく、完全にケーブル２を固縛することができる。
（２）  バンドの機能
バンド４は、ウェッジ３の外周のテーパ面６と勾配が一致するテーパ面７を内周に持っているので、ウェッジ３にバンド４を嵌め込んだとき、それぞれの周径が一致したところで止まり、所定の形状となる。このバンド４は、楔係合によりウェッジ３を締め付けて所定の形状を保つ機能と、分岐ケーブル１４（図１２参照）を定着する機能とを併せ持っている。また、逆に、バンド４は分岐ケーブル（ハンガーロープ）１４によって回転を拘束されているとも言えるので、バンド４がウェッジ３の回りを回転することもありえない。
【００１７】
（３）  クリップ全体としての機能
ケーブルクリップ１に求められる機能は、図１２に示すように、ハンガーロープ１４から伝わる荷重をメインケーブル２に伝達することである。ウェッジ３とバンド４とが一体となって形成されるクリップ１は、上記（１），（２）  に記載した理由によりケーブル２の回りを回転することも、固縛したケーブル２の軸方向へずれることもありえず、十分にその機能を発揮することができる。
【００１８】
【発明の効果】
以上のように、この発明によれば、ケーブル素線を傷付けることなく構造物の耐荷力・耐久力を維持することができ、また着脱が容易であって装着後は所定位置に確実に保持され、外観上も優れたものとすることができる。
【図面の簡単な説明】
【図１】この発明によるケーブルクリップの全体を示す正面図である。
【図２】図１のＡ−Ａ線断面図である。
【図３】ウェッジ３の軸方向に沿う半断面図である。
【図４】図３の右側面図である。
【図５】上側分割バンドの平面図である。
【図６】図５の左側面図である。
【図７】図５のＢ−Ｂ線断面図である。
【図８】下側分割バンドの平面図である。
【図９】図９は図８の左側面図である。
【図１０】図９のＣ−Ｃ線断面図である。
【図１１】ケーブルクリップの取付け手順を示す図である。
【図１２】ケーブルクリップによってメインケーブルと分岐ケーブルとを連結した状態を示す図である。
【符号の説明】
１：ケーブルクリップ
２：メインケーブル
３：ウェッジ
３ａ：分割ウェッジ
４：バンド
４ａ：上側分割バンド
４ｂ：下側分割バンド
５：溝
６：テーパ面
７：テーパ面
８：膨大部
９：係合溝
１１：係合突条
１２：穴
１３：取付け部
１４：分岐ケーブル（ハンガーロープ）
１５：環状溝
１６：拘束線
【図１】
2004293611.tif 000003
【図２】
2004293611.tif 000004
【図３】
2004293611.tif 000005
【図４】
2004293611.tif 000006
【図５】
2004293611.tif 000007
【図６】
2004293611.tif 000008
【図７】
2004293611.tif 000009
【図８】
2004293611.tif 000010
【図９】
2004293611.tif 000011
【図１０】
2004293611.tif 000012
【図１１】
2004293611.tif 000013
【図１２】
2004293611.tif 000014